(57)【要約】【課題】  排水機能を有すると共に、その排水方向を調節することが可能な多角形窓用のコーナーブロックを提供する。【解決手段】多角形窓１０のサッシ枠のコーナー部を構成し、枠材の端面がシール部材６０を介して表面に当接されるコーナー部品２０Ａは、枠材３０のガラス溝３２３に連通する溝部２１２と、コーナー部品２０Ａの室外側表面から溝部２１２へ貫通する開口部２２０と、この開口部２２０に取り付けられ、室内側端部に前記溝部に溜まった水を流入させるための流入口７０３を有すると共に、室外側端部に排水口７０６を有する排水部品７０とを備え、この排水部品７０を軸周りに回転させることにより排水口７０６の向きを調整できる。【選択図】    図５
2005232745.tif 000002
【特許請求の範囲】
【請求項１】
溝を有する複数の枠材と、複数のコーナー部品とにより構成されたサッシ枠に障子を開閉自在に取り付け、又は、前記サッシ枠に面材を固定してなる多角形窓を構成するコーナー部品であって、
前記コーナー部品の表面に前記枠材の端面が当接され、
前記コーナー部品は、枠材の溝に連通する溝部と、この溝部と室外空間とを連通させる開口部と、この開口部に取り付けられ、室内側端部に流入口を有すると共に、室外側端部に排水口を有する排水部品とを備え、この排水部品は前記排水口の向きが調整可能とされていることを特徴とする多角形窓用コーナー部品。
【請求項２】
前記枠材は、枠本体と躯体取付片とを備え、前記枠材の少なくとも前記躯体取付片よりも室内側の部分の端面は、シール部材を介してコーナー部品の表面に当接することを特徴とする請求項１記載のコーナー部品。
【請求項３】
溝を有する複数の枠材と、複数のコーナー部品とにより構成されたサッシ枠に障子を開閉自在に取り付け、又は、前記サッシ枠に面材を固定してなる多角形窓であって、
前記コーナー部品の表面に前記枠材の端面が当接され、
前記多角形窓の最下部にコーナー部品が位置する場合はこのコーナー部品、又は、前記多角形窓の最下部に一対のコーナー部品とその間の枠材とが位置する場合には、それら一対のコーナー部品のうち少なくとも一方のコーナー部品が、
前記枠材の溝に連通する溝部と、この溝部と室外空間とを連通させる開口部と、この開口部に取り付けられ、室内側端部に流入口を有すると共に、室外側端部に排水口を有する排水部品とを備え、この排水部品は前記排水口の向きが調整可能とされていることを特徴とする多角形窓。
【請求項４】
前記枠材は、室外側の外観部材と室内側の内観部材とに分割されており、前記内観部材の室内側に沿って押縁が取り付けられ、各コーナー部において、一方の辺の前記内観部材及び前記押縁の端部が前記コーナー部品まで延びていることを特徴とする請求項３記載の多角形窓。
【発明の詳細な説明】
【技術分野】
【０００１】
本発明は、建物躯体の開口部に固定される多角形窓に用いられるコーナー部品に係り、特に、排水機能を有するコーナー部品に関する。また、本発明は、そのようなコーナー部品を備えた多角形窓にも関する。
【背景技術】
【０００２】
従来より、例えば、特許文献１に開示されるように、建物躯体の開口部に取り付けられるサッシ枠として、４５°に切断した枠材の端面同士を窓コーナー部で突き当てて、この突き当て端部に直角Ｌ字状の連結ブロックを嵌合した構成が知られている。また、特許文献２には、コーナーサッシのコーナー部に設けたコーナーブロックに枠材端面を当接させて接続した構成が開示されている。
【０００３】
窓ガラスの表面には結露が起きることがあり、また、雨水も降りかかる。このような結露水や雨水は窓の下部コーナーに溜まりやすいので、この下部コーナー部に排水機能を持たせることが有効である。しかしながら、特許文献１、２には、サッシ枠の下部コーナーから排水を行うことに何ら言及されていない。
【０００４】
これに対して、特許文献３には、サッシ等の下部コーナーブロックに水抜穴を設け、下枠が有する内外のレールの間に溜まった水を外方に流出させることが記載されている。
【特許文献１】実公昭６３−１８７１６号公報
【特許文献２】実公平６−１６０４９号公報
【特許文献３】実公昭４８−２５０１７号公報
【発明の開示】
【発明が解決しようとする課題】
【０００５】
ところで、近年、次のような理由により、多角形窓（装飾窓）への需要が増加している。すなわち、先ず、多角形窓の多様な形状により、これまで窓を取り付け難かった階段踊り場等の場所への設置が可能となっている。また、近年、デザイナーズハウスや和／洋モダン系住宅が増加しており、これらの住宅において多角形窓への需要が高まっている。さらに、多角形窓は、採光、防犯、プライバシーの保護の点で優れており、そのような観点からも需要が増加している。このように需要が増大しつつある多角形窓において、下部コーナーブロックに排水機能を持たせる場合、雨水が排水穴から逆流するのを防ぐために排水方向はなるべく下向きとなることが望ましいが、窓の取り付け向きによって、コーナーブロックに対する排水方向は異なる。すなわち、図１５に例示するように、同じ形状の窓を構成するコーナーブロックであっても、窓が同図（Ａ）の向きに取り付けられる正方形窓の場合と、同図（Ｂ）の向きに取り付ける菱形窓の場合とで、コーナーブロックに対する排水方向は変化するのである。しかしながら、特許文献３に開示されるコーナーブロックでは排水方向は固定されており、多角形窓に対応した排水機能を実現することはできない。したがって、従来、窓の取り付け向きによって異なる排水方向毎に専用のブロック部品を用意することが必要となり、部品種類の増大を招いて、在庫管理やコスト等の点で不利である。
【０００６】
本発明は上記の点に鑑みてなされたものであり、排水機能を有すると共に、その排水方向を調整することが可能な多角形窓用のコーナーブロックを提供することを目的とする。
【課題を解決するための手段】
【０００７】
上記の目的を達成するため、本発明は、溝を有する複数の枠材と、複数のコーナー部品とにより構成されたサッシ枠に障子を開閉自在に取り付け、又は、前記サッシ枠に面材を固定してなる多角形窓を構成するコーナー部品であって、
前記コーナー部品の表面に前記枠材の端面が当接され、
前記コーナー部品は、枠材の溝に連通する溝部と、この溝部と室外空間とを連通させる開口部と、この開口部に取り付けられ、室内側端部に流入口を有すると共に、室外側端部に排水口を有する排水部品とを備え、この排水部品は前記排水口の向きが調整可能とされていることを特徴とする。
【０００８】
本発明によれば、枠材の溝に入った結露水や雨水等の水は、この枠材の溝に連通する下部コーナー部品の溝部に溜まる。溜まった水は、排水部品の流入口から排水部品内を通り、排水口から外部へ排出される。そして、この排水口の向きが調整可能であるため、排水方向をコーナー部品の位置や姿勢に応じて適切に調整できる。
【０００９】
また、本発明のコーナー部品において、前記枠材は、枠本体と、躯体取付片とを備え、前記枠材の少なくとも前記躯体取付片よりも室内側の部分の端面は、シール部材を介してコーナー部品の表面に当接することとしてもよい。
【００１０】
また、本発明は、溝を有する複数の枠材と、複数のコーナー部品とにより構成されたサッシ枠に障子を開閉自在に取り付け、又は、前記サッシ枠に面材を固定してなる多角形窓であって、
前記コーナー部品の表面に前記枠材の端面が当接され、
前記多角形窓の最下部にコーナー部品が位置する場合はこのコーナー部品、又は、前記多角形窓の最下部に一対のコーナー部品とその間の枠材とが位置する場合には、それら一対のコーナー部品のうち少なくとも一方のコーナー部品が、
前記枠材の溝に連通する溝部と、この溝部と室外空間とを連通させる開口部と、この開口部に取り付けられ、室内側端部に流入口を有すると共に、室外側端部に排水口を有する排水部品とを備え、この排水部品は前記排水口の向きが調整可能とされていることを特徴とする。
【００１１】
この多角形窓において、前記枠材は、室外側の外観部材と室内側の内観部材とに分割されており、前記内観部材の室内側に沿って押縁が取り付けられ、各コーナー部において、一方の辺の前記内観部材及び前記押縁の端部は前記コーナー部品まで延びていることとしてもよい。このように構成すれば、室内側から見て、コーナー部品が押縁及び内観枠材により完全に隠されるので、多角形窓の内観が向上する。
【発明の効果】
【００１２】
本発明によれば、サッシ枠に溜まった水を屋外へ排出機能を有すると共に、その排水の向きを調整することが可能な多角形窓用のコーナーブロックを提供できる。
【発明を実施するための最良の形態】
【００１３】
以下、添付図面を参照して、本発明の実施の形態について説明する。  
図１は、本発明の一実施形態に係わる多角形窓１０の外観姿図、図２は、多角形窓１０の内観姿図、図３は、図１のIII-III断面図、図４は、図１のIV-IV断面図、図５は、多角形窓１０のサッシ枠の組立図である。
【００１４】
図１及び図２に示すように、本実施形態では、四角形の多角形窓１０を各辺が斜めとなる菱形状の姿勢で取り付けている。この多角形窓１０は、各コーナー部に配置されたコーナー部品２０と、窓の各辺に沿って設けられた枠材３０とを備えている。枠材３０は、室外側の外観枠材３２と室内側の内観枠材３４とにより構成されており、両者はビス３６で固定されている。また、各枠材３０に沿って室内側から押縁４０が設けられている。なお、コーナー部品、枠材３０（外観枠材３２、内観枠材３４）、押縁４０は、例えば、アルミニウム押出型材で構成されてもよいし、あるいは、樹脂で構成されてもよく、構成材料は問わない。ただし、断熱性能を確保する観点からは、樹脂製とすることが望ましい。
【００１５】
図３〜図５に示すように、外観枠材３２は、枠材本体３２０と、この枠材本体３２０から窓周辺側へ延びるフランジ板３２１とにより構成される。枠材本体３２０は、室外側に位置する外観枠部３２２、及び、外観枠部３２２に隣接するガラス溝３２３などを備えている。なお、フランジ板３２１が本発明の「躯体取付板」に相当し、また、ガラス溝３２３が本発明の「枠材の溝」に相当する。また、内観枠材３４は、押縁４０を嵌合させるための溝部３４１、及び、溝部３４１の立ち上がり部から室内側に延びるフランジ３４２などを備えている。
【００１６】
多角形窓１０の左下辺及び右下辺の外観枠材３２のガラス溝３２３には、ガラス支持用のセッティングブロック５０が収容されている。ガラス５２は、セッティングブロック５０の内側に外周縁が当接した状態で、周縁部が４辺の外観枠材３２の外観枠部３２２と押縁４０との間に挟み込まれて保持される。本実施形態では、ガラス５２を、室外側のガラス５２１と、室内側のガラス５２３とがスペーサ５２２で隔てられてなる二重ガラス構造としており、室外側のガラス５２１と外観枠部３２２との間にはシーリング５４を、また、室内側のガラス５２３と押縁４０との間にはガスケット５６を、夫々設けている。
【００１７】
図５などに示すように、外観枠材３２及び内観枠材３４の端面は９０°に切断されており、コーナー部品２０の表面に貼り付けられたシーラー６０に当接している。そして、コーナー部品２０を貫通するビス６２，６４が外観枠材３２のネジ受け３２４，３２５にねじ込まれると共に、外観枠材３２と内観枠材３４とがビス３６により互いに結合されることで、枠材３０とコーナー部品２０とが一体化する。なお、シーラー６０は、少なくとも、枠材３２のフランジ部３２１よりも室内側に設けられていればよい。また、押縁４０は、内観枠材３４の溝部３４１に嵌め込まれて固定される。各コーナー部で接続される一方の辺の押縁４０及び内観枠材３４はコーナー部品２０に形成された切欠部２１６，２１８（図５を参照）まで延びて、この押縁４０及び内観枠材３４の端部側面に他方の辺の押縁４０及び内観枠材３４が当接するようになっており、押縁４０同士の小口部を裏側から覆うための小口カバー４２が、内観枠材３４の溝部３４１に嵌め込まれる。この小口カバー４２によって、隣接する押縁４０の間に隙間が生ずることが防止される。  
なお、本実施形態では、図２における左下辺及び右上辺の押縁４０Ｂの両端部がコーナー部品２０の切欠部２１６，２１８へ延びる構成としており、したがって、押縁４０Ｂは他辺の押縁４０Ａよりも長い寸法となっている。同様に、内観枠材３４についても、右上辺及び左下辺の内観枠材３４は他辺の内観枠材３４よりも長い寸法となっている。
【００１８】
多角形窓１０の組み立ては、枠材３０とコーナー部品２０とをビス６２，６４により組み立つけ、セッティングブロック５０、ガラス５２、シーリング５４、ガスケット５６を取り付けて、押縁４０を、内観枠材３４の溝部３４１に嵌め込むことにより行う。こうして組み立てられた多角形窓１０を建物開口部へ取り付ける。具体的には、外観枠材３２のフランジ板３２１が開口部周辺の外壁面に当接するまで、内観枠材３４のフランジ板３４２を開口部内側へ外壁側から嵌め込み、フランジ板３２１をビス６６で壁面に固定すると共に、フランジ板３４２をビス６８で開口部内周面に固定する。
【００１９】
ところで、ガラスには結露水や雨水等の水が付着し易く、ガラスに付着した水は下方へ流れて、下部のガラス溝３２３に入り込み、さらに、ガラス溝を通って最下部のコーナーに溜まることになる。本実施形態の多角形窓１０では、この最下部コーナーのコーナー部品２０Ａに、溜まった水を外部へ排水する機能を持たせている。なお、他コーナーのコーナー部品２０は、排水機能に係わる構成（後述する開口部２２０、排水部品７０）を備えていない点を除いて、最下部コーナーのコーナー部品２０Ａと同様の構成を有している。以下、上記図５と共に図６〜図８を参照して、コーナー部品２０Ａの構成を詳細に説明する。
【００２０】
図６は、コーナー部品２０Ａの外観側正面図であり、図７は、コーナー部品２０Ａの内観側正面図であり、図８は、コーナー部品２０Ａを図６における矢印VIIIの向きから見た側面図である。
【００２１】
図５〜図８に示すように、コーナー部品２０Ａは、本体部２０２と、本体部２０２から窓周辺側へ延びるフランジ板２０４と、本体部２０２の室外側表面に設けられた外観表面部２０５とを備えている。外観表面部２０５は、本体部２０２の枠材３０が当接される側の面から僅かに突出して、枠材３０との当接部を外観から隠すようになっている。また、フランジ板２０４のコーナー部にはＲが設けられることで、取付作業時や搬送時等における安全性が確保されている。図５及び図８に示すように、本体部２０２は、室外側に位置する外側ブロック部２０６と、室内側に位置する内側壁部２０８と、それらの中間に位置する中間壁部２１０とを備えており、外側ブロック部２０６と中間壁部２１０との間、及び、中間壁部２１０と内側壁部２０８との間には、夫々、外側溝部２１２及び内側溝部２１４が形成されている。このうち、外側溝部２１２は、上記した外観枠材３２のガラス溝３２３に連通する位置に設けられており、ガラス５２のコーナー部分がこの外側溝部２１２に収容されることになる。内側壁部２０８及び中間壁部２１０は、夫々、矩形状の切欠部２１６，２１８が設けられて「く」の字型に形成されており、上述したように、押縁４０Ａ及び内観枠材３４の端部がこの切欠部２１６，２１８まで延びて、その側面に、隣接する辺の押縁４０Ｂ及び内観枠材３４の端面が当接する。
【００２２】
コーナー部品２０Ａの外側ブロック部２０６には、その室外側の表面から外側溝部２１２へ貫通する開口部２２０が設けられている。この開口部２２０には、図５に示すように、排水部品７０が挿入される。開口部２２０の外側溝部２１２への開口部には、この排水部品７０の回転方向の位置決めを行うための位置決め突起２２２が設けられている。なお、後述するように、開口部２２０は外側溝部２１２に溜まった水を室外へ排出するためのものであるため、外部溝部２１２に溜まった水が中間壁部２１０を越えて室内側へ溢れる前にこの水を室外へ排出できるように、開口部２２０を中間壁部２１０の高さ（すなわち、切欠部２１６のコーナー位置）よりも低い位置に設けることが好ましい。
【００２３】
図９は、排水部品７０の側面図であり、また、図１０は、排水部品７０を図９の矢印Ｘの向きから見た図である。これらの図面に示すように、排水部品７０は、円筒部７０２と頭部７０４とを備える中空部材であり、円筒部７０２が上記開口部２２０に挿入される。円筒部７０２の端面は開放されて流入口７０３が構成されており、また、頭部７０４の側面には排水口７０６が形成されている。したがって、排水部品７０の円筒部７０２が開口部２２０へ挿入された状態で、コーナー部品２０Ａの外側溝部２１２は、円筒部７０２の流入口７０３、円筒部７０２の内部空間、及び、頭部７０４の排水口７０６を介して屋外空間と連通する。なお、図面では、排水部品７０の頭部７０４が円形である場合を示しているが、これに限らず、頭部７０４を菱形等の多角形状とするなど、頭部７０４の形状は限定されない。また、コーナー部品２０，２０Ａ及び排水部品７０は例えば樹脂成型品により構成されるが、構成材料はこれに限らない。
【００２４】
図９及び図１０に示すように、排水部品７０の円筒部７０２の端部の外周面には複数の突起７０８が設けられている。この突起７０８の間の凹部に上記したコーナー部品２０Ａの位置決め用突起２２２が係合することで、排水部品７０の軸周り方向の位置決めが行われる。
【００２５】
以上の構成によれば、図１、図３等に点線矢印で示すように、ガラス５２の室内側表面に付着した結露水は、枠材３０のガラス溝３２３へ流入し、さらに、このガラス溝３２３を下方へ流れて、下部のコーナー部品２０Ａの外側溝部２１２に溜まる。また、屋外からガラス５２に掛かった雨水が枠材３０のガラス溝３２３へ流入した場合も、同様にして、その雨水はコーナー部品２０Ａの外側溝部２１２に溜まる。上記のように、コーナー部品２０Ａの外側溝部２１２と屋外空間とは、排水部品７０を介して連通する。したがって、外側溝部２１２に溜まった水は、排水部品７０を通って、その排水口７０６から屋外側へ排出されることになる。
【００２６】
また、上述のように、排水部品７０を軸周りに回転させることにより、排水口７０６の向き、すなわち、排水方向を調整できるので、上記図１５に例示したように、窓の取り付け姿勢によって排水方向が変わっても、同じコーナー部品２０Ａを用いて、排水部品７０の向きを調整すれば足りる。このため、排水方向毎に別のコーナー部品を用意する必要がなくなり、部品種類を大幅に削減できる。しかも、コーナー部品２０Ａは、排水機能を備えない他のコーナー部品２０に排水穴を加工して排水部品７０を取り付けた構成であるため、コーナー部品２０からコーナー部品２０Ａへの転用も容易である。したがって、コーナー部品２０Ａの在庫を必要以上に確保しなくても済むため、在庫管理が容易となると共に、部品コストの低減を図ることができる。
【００２７】
さらに、本実施形態では、各コーナー部において、一方の辺の押縁４０Ａ及び内観枠材３４の端部がコーナー部品２０の切欠部２１４，２１６まで延びてその側面に他方の辺の押縁４０Ｂ及び内観枠材３４の端面が当接するため、図２から分かるように、室内側から見てコーナー部品２０が完全に隠される。すなわち、コーナー部品２０が室内側に露出しない構成となるため、窓の内観が向上する。なお、建物外側については、外観枠材３２のフランジ板３２１及びコーナー部品２０のフランジ板２０４を覆うように外壁材が施工されるため、外観には外観枠材３２の外観枠部３２２と、コーナー部品２０の本体部２０２のみが露出することになる。
【００２８】
なお、上記実施形態において、排水部品７０の内部に、室外側から室内側への水の逆流を防止するためのバルブを設けることとしてもよく、また、屋外からの空気の吹き込みを防止するためのフィルターを設けることとしてもよい。
【００２９】
また、上記実施形態では、排水部品７０の突起７０８と、コーナー部品２０Ａの位置決め用突起２２２との係合により排水方向の位置決めを行うものとしたが、これに限らず、例えば、排水部品の断面形状を多角形として位置決めを行うなど、適宜な位置決め方式を採用できる。
【００３０】
また、上記実施形態では、コーナー部品２０Ａの開口部２２０を室外側表面に開口するように設けたが、これに限らず、コーナー部品２０Ａの側面（図６における左面）や下面、あるいは、これら側面と下面との間のコーナー部の、外壁材により塞がれない位置に開口するように設けてもよい。要するに、外側溝部２１２と室外空間とを連通する開口部が設けられて、この開口部に排水部品が取り付けられる構成であればよい。
【００３１】
さらに、上記実施形態では、本発明がガラス固定窓に適用された場合について説明したが、本発明はこれに限らず、サッシ枠に障子が開閉自在に取り付けられた窓にも適用が可能である。
【００３２】
図１１〜図１４は、多角形窓１０の各種変形例であり、図１１（ａ）〜（ｆ）は三角形窓の例を、図１２（ａ）〜（ｅ）は平行四辺形あるいは菱形窓の例を、図１３（ａ）〜（ｆ）は台形窓の例を、図１４（ａ）から（ｄ）は六角形又は八角形窓の例を、夫々示している。各図に示すように、多角形窓のコーナー部には窓形状に応じた形状のコーナー部品が設けられ、そのうち、各図に斜線を付して示す下部コーナーのコーナー部品に、上記実施形態のコーナー部品２０Ａと同様の排水機能を持たせている。  
なお、図１１（ａ），（ｃ），（ｄ）、図１２（ａ）、図１３（ａ），（ｃ），（ｄ）、図１４（ａ），（ｃ）等に示すように、排水機能を有するコーナー部品の数は２個としても構わない。ただし、コスト低減の観点からは、排水機能を有するコーナー部品の個数を１個とすることが好ましい。
【図面の簡単な説明】
【００３３】
【図１】本発明の一実施形態に係わる多角形窓の外観姿図である。
【図２】本実施形態の多角形窓の内観姿図である。
【図３】図１、図２のIII-III断面図である。
【図４】図１、図２のIV-IV断面図である。
【図５】本実施形態の多角形窓を構成するサッシ枠の斜視分解図である。
【図６】コーナー部品の外観側正面図である。
【図７】コーナー部品の内観側正面図である。
【図８】コーナー部品を図６の矢印VIIIの向きから見た図である。
【図９】排水部品の側面図である。
【図１０】排水部品を図９の矢印Ｘの向きから見た図である。
【図１１】本発明の多角形窓の他の各種実施形態を示す外観姿図（その１）である。
【図１２】本発明の多角形窓の他の各種実施形態を示す外観姿図（その２）である。
【図１３】本発明の多角形窓の他の各種実施形態を示す外観姿図（その３）である。
【図１４】本発明の多角形窓の他の各種実施形態を示す外観姿図（その４）である。
【図１５】窓の取り付け向きによりコーナー部からの排水方向が異なることを説明するための図である。
【符号の説明】
【００３４】
１０    多角形窓
２０（２０Ａ）  コーナー部品
２１２  溝部
２２０  開口部
３０    枠材
３２    外観枠材
３２０  枠材本体
３２１  フランジ板
３２３  ガラス溝
３４    内観枠材
４０    押縁
７０    排水部品
７０３  流入口
７０６  排水口
【図１】
2005232745.tif 000003
【図２】
2005232745.tif 000004
【図３】
2005232745.tif 000005
【図４】
2005232745.tif 000006
【図５】
2005232745.tif 000007
【図６】
2005232745.tif 000008
【図７】
2005232745.tif 000009
【図８】
2005232745.tif 000010
【図９】
2005232745.tif 000011
【図１０】
2005232745.tif 000012
【図１１】
2005232745.tif 000013
【図１２】
2005232745.tif 000014
【図１３】
2005232745.tif 000015
【図１４】
2005232745.tif 000016
【図１５】
2005232745.tif 000017